(57)【要約】デバイス管理データへの修正に関連する情報を格納することを含み、デバイス管理データは、管理オブジェクト（ＭＯ）のオープンモバイルアライアンス（ＯＭＡ）準拠デバイス管理ツリー内に格納される、デバイス管理データ変更を追跡するための方法および装置。本発明は、また、プロセッサを備えるネットワーク構成要素であって、管理オブジェクト（ＭＯ）のオープンモバイルアライアンス（ＯＭＡ）準拠ＤＭツリー内に格納されるデバイス管理（ＤＭ）データの修正に応答して、該プロセッサが、該ＤＭデータの修正に関連する情報を格納するように構成される、ネットワーク構成要素も提供し得る。【選択図】図２
2012516584.tif 000002
【特許請求の範囲】
【請求項１】
プロセッサを備えるユーザ機器であって、管理オブジェクト（ＭＯ）のオープンモバイルアライアンス（ＯＭＡ）準拠ＤＭツリー内に格納されるデバイス管理（ＤＭ）データの修正に応答して、該プロセッサが、該ＤＭデータの修正に関連する情報を格納するように構成される、ユーザ機器。
【請求項２】
前記ＤＭデータは、前記ユーザ機器をプロビジョニング、構成、アップグレード、および管理することが可能である、請求項１に記載のユーザ機器。
【請求項３】
前記ＤＭデータの修正に関連する情報は、該ＤＭデータへの変更に関する詳細を規定する変更記録である、請求項１に記載のユーザ機器。
【請求項４】
前記プロセッサは、前記情報を他のデバイスに配信するようにさらに構成される、請求項１に記載のユーザ機器。
【請求項５】
前記変更記録は、一意的な識別子を含む、請求項３に記載のユーザ機器。
【請求項６】
前記一意的な識別子は、日付、時間、英数字、および１ずつ増分する整数のうちの１つ以上である、請求項５に記載のユーザ機器。
【請求項７】
プロセッサを備えるネットワーク構成要素であって、管理オブジェクト（ＭＯ）のオープンモバイルアライアンス（ＯＭＡ）準拠ＤＭツリー内に格納されるデバイス管理（ＤＭ）データの修正に応答して、該プロセッサが、該ＤＭデータの修正に関連する情報を格納するように構成される、ネットワーク構成要素。
【請求項８】
前記ＯＭＡ  ＤＭデータの修正に関連する情報は、前記ＤＭデータへの変更に関する詳細を規定する変更記録である、請求項７に記載のネットワーク構成要素。
【請求項９】
前記プロセッサは、前記情報を他のデバイスに配信するようにさらに構成される、請求項７に記載のネットワーク構成要素。
【請求項１０】
前記変更記録は、一意的な識別子を含む、請求項８に記載のネットワーク構成要素。
【請求項１１】
前記一意的な識別子は、日付、時間、英数字、および１ずつ増分する整数のうちの１つ以上である、請求項１０に記載のネットワーク構成要素。
【請求項１２】
デバイス管理データ変更を追跡する方法であって、該方法は、
デバイス管理（ＤＭ）データの修正に関連する情報を格納することを含み、該ＤＭデータは、管理オブジェクト（ＭＯ）のオープンモバイルアライアンス（ＯＭＡ）準拠ＤＭツリーである、方法。
【請求項１３】
前記ＤＭデータは、前記ユーザ機器をプロビジョニング、構成、アップグレード、および管理することが可能である、請求項１２に記載の方法。
【請求項１４】
前記ＯＭＡ  ＤＭデータに関連する情報は、前記ＤＭデータへの変更に関する詳細を規定する変更記録である、請求項１２に記載の方法。
【請求項１５】
前記情報を他のデバイスに配信することをさらに含む、請求項１２に記載の方法。
【請求項１６】
前記情報を複数のデバイス間で同期させることをさらに含む、請求項１２に記載の方法。
【請求項１７】
他のデバイスに配信される前記情報を利用して、前記ＤＭツリーを回復することをさらに含む、請求項１５に記載の方法。
【請求項１８】
コンピュータ読み取り可能媒体が命令を格納し、該命令は、プロセッサによって実行されると前記方法の実行を促進する、請求項１２に記載の方法。
【請求項１９】
プロセッサを備えるユーザ機器（ＵＥ）であって、該プロセッサは、変更記録を受信し、該変更記録を使用して、該ユーザ機器上のデバイス管理（ＤＭ）ツリーを更新するように構成され、該ＵＥ上のＤＭツリーは、オープンモバイルアライアンス（ＯＭＡ）準拠管理オブジェクト（ＭＯ）から構成される、ユーザ機器。
【請求項２０】
前記変更記録は、ネットワーク構成要素から受信され、該ネットワーク構成要素は、前記ＵＥに関連するオープンモバイルアライアンス（ＯＭＡ）準拠管理オブジェクト（ＭＯ）のＤＭツリーを維持し、該ＵＥのプロセッサは、該変更記録を使用して、該ＵＥ上のＤＭツリーを更新し、該ＵＥ上のＤＭツリーおよび前記ネットワークによって維持されるＤＭツリーの同期を促進する、請求項１９に記載のユーザ機器。
【請求項２１】
前記変更記録は、前記ネットワーク機器によって維持されるＤＭツリーに対してなされた変更を追跡するように生成される、請求項２０に記載のユーザ機器。
【請求項２２】
プロセッサを備えるネットワーク構成要素であって、該プロセッサは、
変更記録を受信し、該変更記録を使用して、該ネットワーク構成要素上のデバイス管理（ＤＭ）ツリーを更新するように構成され、該ネットワーク構成要素上のＤＭツリーは、オープンモバイルアライアンス（ＯＭＡ）準拠管理オブジェクト（ＭＯ）から構成される、ネットワーク構成要素。
【請求項２３】
前記変更記録は、ユーザ機器（ＵＥ）から受信され、該ＵＥは、オープンモバイルアライアンス（ＯＭＡ）準拠管理オブジェクト（ＭＯ）のＤＭツリーを維持し、前記ネットワーク構成要素のプロセッサは、該変更記録を使用して、該ネットワーク構成要素上のＤＭツリーを更新し、該ネットワーク構成要素上のＤＭツリーおよび該ＵＥによって維持されるＤＭツリーの同期を促進する、請求項２２に記載のネットワーク構成要素。
【請求項２４】
前記変更記録は、前記ＵＥによって維持されるＤＭツリーに対してなされた変更を追跡するように生成される、請求項２３に記載のネットワーク構成要素。
【請求項２５】
データ管理ツリーを同期させるための方法であって、該方法は、変更記録を受信し、該変更記録を使用して、第１のデバイス上のデバイス管理（ＤＭ）ツリーを更新することを含み、該第１のデバイス上のＤＭツリーは、オープンモバイルアライアンス（ＯＭＡ）準拠管理オブジェクト（ＭＯ）から構成される、方法。
【請求項２６】
前記変更記録は、第２のデバイスから受信され、該第２のデバイスは、オープンモバイルアライアンス（ＯＭＡ）準拠管理オブジェクト（ＭＯ）のＤＭツリーを維持し、前記第１のデバイスのプロセッサは、該変更記録を使用して、該第１のデバイス上のＤＭツリーを更新し、該第１のデバイス上のＤＭツリーおよび該第２のデバイスによって維持されるＤＭツリーの同期を促進する、請求項２５に記載の方法。
【請求項２７】
前記変更記録は、前記第２のデバイスによって維持されるＤＭツリーに対してなされた変更を追跡するように生成される、請求項２６に記載の方法。
【請求項２８】
コンピュータ読み取り可能媒体が命令を格納し、該命令は、プロセッサによって実行されると、前記方法の実行を促進する、請求項２５に記載の方法。
【発明の詳細な説明】
【背景技術】
【０００１】
本明細書で使用される場合、用語「ユーザ機器」および「ＵＥ」は、ある場合には、携帯電話、スマートフォン、携帯情報端末、携帯式またはラップトップコンピュータ、および電気無線通信能力を有する類似デバイス等のモバイルデバイスを指す場合がある。そのようなＵＥは、ＵＥと、加入者識別モジュール（ＳＩＭ）アプリケーション、ユニバーサル加入者識別モジュール（ＵＳＩＭ）アプリケーション、または取り外し可能ユーザ識別モジュール（Ｒ−ＵＩＭ）アプリケーションを含む、ユニバーサル集積回路カード（ＵＩＣＣ）等であるが、それに限定されない、その関連付けられた取り外し可能メモリモジュールと、から成る場合がある。代替として、そのようなＵＥは、そのようなモジュールを伴わずに、デバイス自体から成る場合がある。他の場合には、用語「ＵＡ」はデスクトップコンピュータ、セットトップボックス、またはネットワークノード等、類似能力を有するが、運搬可能ではない、デバイスを指す場合がある。また、用語「ＵＥ」は、ユーザのための通信セッションを終了可能な任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、同義的に使用され得る。
【０００２】
電気通信技術の進化に伴って、以前は不可能であったサービスを提供可能な、より高度なネットワークアクセス機器が、導入されている。本ネットワークアクセス機器は、従来の無線電気通信システムにおける同等機器の改良である、システムおよびデバイスを含む場合がある。そのような高度または次世代機器は、ロング・ターム・エボリューション（ＬＴＥ）等の無線通信規格における進化に含まれ得る。例えば、ＬＴＥシステムは、従来の基地局ではなく、拡張ノードＢ（ｅＮＢ）、無線アクセスポイント、または類似構成要素を含む場合がある。本明細書で使用されるように、用語「アクセスノード」は、ユーザ機器（ＵＥ）または中継ノードを電気通信システム内の他の構成要素にアクセス可能にする、受信および伝送範囲の地理的面積を生成する、従来の基地局、無線アクセスポイント、またはＬＴＥ  ｅＮＢ等の無線ネットワークの任意の構成要素を指す。
【０００３】
オープンモバイルアライアンス（ＯＭＡ）デバイス管理（ＤＭ）規格は、仮想ＤＭツリー内に格納される関連データ集合の論理的集合である、管理オブジェクト（ＭＯ）と呼ばれる拡張子に対応する。ＯＭＡ  ＤＭに対応するＵＥは、典型的には、ＭＯと、ＭＯを利用して、そのサービスを構成し得る、ＵＥ上のアプリケーション、関数、エージェント、あるいは他のソフトウェアまたはファームウェア構成要素との間の媒介として作用する、内蔵されたＯＭＡ  ＤＭクライアントを有する。ＵＥ上のＯＭＡ  ＤＭクライアントおよびＯＭＡ  ＤＭサーバと相互作用するエンティティは、ユーザ、ネットワークオペレータ、ハンドセット製造業者、企業のアドミニストレータ、エージェント、あるいはＭＯを生成、修正、または削除し、ＵＥに要求を行う、アプリケーションであり得る、管理権限者（ＭＡ）を含む。
【０００４】
ＵＥ上の各ＭＯは、典型的には、特定のアプリケーションまたはＵＥの能力に関連するデータを含む。例えば、電子メールＭＯは、電子メールエージェントと関連付けられたデータを含む場合がある。複数の電子メールエージェントが、ＵＥ上にインストールされる場合、それぞれ、別個の電子メールＭＯを使用する、またはすべて、同一電子メールＭＯを使用する場合がある。ＵＥ上のＭＯおよびエージェントはすべて、典型的には、単一ＤＭクライアントを介して相互作用する。デバイス管理（ＤＭ）ツリーは、論理的階層様式において、ＭＯを編成する。これらのＭＯはそれぞれ、単一整数値、インジケータ、フラグ、ユニバーサルリソース識別子（ＵＲＩ）を含む、複数のノードを含む、あるいは、例えば、写真および／または他の情報を含む場合がある。
【０００５】
ＭＯレジストリは、ＭＯ記述のために使用される値のためのリポジトリとして維持される。ＭＯレジストリ内で使用されるラベルは、ＯＭＡ作業グループによって規定されるＭＯへの値の割当、外部エンティティによって規定されるＭＯへの値の割当、および／または、試験または私的使用のために使用される値を指し得る。ＭＯ記述のコピーは、各登録されたＭＯにリンク可能である。
【発明の概要】
【課題を解決するための手段】
【０００６】
最初に、本開示の１つ以上の実施形態の例証的実装を以下で提供するが、開示されたシステムおよび／または方法は、現在既知であるか、または既存であるかにかかわらず、任意の数の技法を使用して実装されてもよいことを理解されたい。本開示は、本明細書で例証および説明される例示的設計および実装を含む、以下で例証される例証的実装、図面、および技法に決して限定されるべきではないが、同等物の全範囲とともに、添付の請求項の範囲内で修正されてもよい。
【０００７】
オープンモバイルアライアンス（ＯＭＡ）デバイス管理（ＤＭ）規格は、ユーザ機器（ＵＥ）上に格納されるべき管理オブジェクト（ＭＯ）のＤＭツリーを提供する。ＭＯは、ＵＥ上において、プロビジョニング、構成、ソフトウェアのアップグレード、および障害追跡を含む、種々の方法において使用されてもよい。本明細書で使用されるように、用語「プロビジョニング」は、ＵＥ上の特徴を有効または無効にすることを含んでもよい。本明細書で使用されるように、用語「構成」は、ＵＥの設定およびパラメータを修正することを含んでもよい。本明細書で使用されるように、用語「ソフトウェアアップグレード」は、アプリケーションソフトウェアおよびシステムソフトウェアを含むための新しいソフトウェアのインストールまたは事前にインストールされたソフトウェアのバグ修正を含んでもよい。本明細書で使用されるように、用語「障害追跡」は、ＵＥのエラーまたは状態報告を含んでもよい。ＵＥは、本明細書に説明される、ＭＯすべてまたはサブセットを使用してもよい。
【０００８】
ＵＥ上のＤＭツリーは、ＵＥ上のＤＭクライアントによって、アクセスおよび管理されてもよい。ＵＥ上のＤＭクライアントは、ＤＭサーバとして構成される、ネットワーク構成要素と相互作用してもよい。ＤＭサーバは、ＵＥ上のＤＭクライアントにコマンドを発行し、順に、ＵＥ上のＭＯのＤＭツリーに変更を適用してもよい。いくつかのＤＭサーバは、ＵＥ上のＤＭクライアントにコマンドを発行し、同一ＤＭツリーを修正してもよい。例えば、第１のＤＭサーバは、電子メールサービスのための構成情報を提供してもよく、第２のＤＭサーバは、インターネットサービスに関する情報を提供してもよい。第１および第２のサーバは両方とも、同一更新を２回インストールする衝突または非効率性を防止するために、更新に先立って、ＵＥ上の現在のＤＭツリーの状態を把握する必要があってもよい。
【０００９】
ＤＭサーバが、ＵＥ上のＤＭツリーに作用する前に、ＤＭサーバをＵＥ上のＤＭツリーの現在の状態と同期させることが必要であってもよい。現在、ＤＭサーバは、コマンドを発行し、ＤＭツリー全体を読み取り、ＵＥ上のＭＯすべての状態を返し、ＵＥ状態のＤＭサーバ状態との同期を促進する。ＤＭツリー全体およびＵＥからＤＭサーバに伝送されるＭＯ内のデータすべてを要求することは、リソース集約的プロセスである。本開示は、ファイルまたはログ等、別個のデータ構造内のＤＭツリーへの変更を記録することを提供する。本明細書で使用されるように、用語「変更ログ」は、ＵＥ上のＤＭツリーへの変更が格納される、データ構造を指すために使用されてもよい。変更ログは、変更されたＭＯ、ＭＯの新しい値、変更日時、変更を要求したエンティティ、および任意の他の有用情報等の情報を含んでもよい。変更ログは、ファイル、データベース、スプレッドシート、データベース内のテーブル、あるいはデータを格納するための任意の他の媒体または配列であってもよい。
【００１０】
ＤＭサーバは、ＵＥ上に格納される、ＤＭツリーに関する情報を維持してもよい。ＤＭサーバが、ＵＥ上のＭＯの更新を行うことが必要とされる場合は常に、ＤＭサーバは、最初に、ＵＥから変更ログを要求してもよい。加えて、ＤＭサーバは、周期的に、ＵＥから変更ログを要求することによって、ＤＭサーバ上に格納された記録を定期的に更新してもよい。ＵＥから変更ログを受信後、ＤＭサーバは、次いで、ＵＥからの変更ログによって提供された情報を使用して、ＤＭサーバ上に格納された記録を更新してもよい。ＤＭツリーおよびＭＯへの変更は、本明細書では、「ＤＭ変更」または「ＤＭデルタ」と称される場合がある。
【００１１】
変更ログは、構成設定を喪失したＵＥに対して、ＤＭツリーを復元するために使用されてもよい。例えば、ＵＥは、落下または損傷され、ＤＭツリー内に格納された構成設定が喪失される場合がある。ＵＥ上のＤＭツリーが喪失される場合、ＵＥは、ＤＭサーバ上に格納された変更ログを含むために、ＤＭサーバに、ＤＭサーバ上に格納されたＤＭツリーの最新バージョンを提供することを要求してもよい。次いで、ＵＥは、ＤＭサーバによって提供されたＤＭツリーおよび変更ログを使用して、ＵＥ上のＤＭツリーを復元してもよい。
【００１２】
また、変更ログを使用して、ＵＥ上のＤＭツリーに成された変更を戻してもよい。例えば、ＤＭサーバは、ＵＥに誤動作をもたらす、ＵＥ上のＤＭツリーへの変更を送信する場合がある。したがって、ＵＥは、変更ログを使用して、ＤＭツリーに成された変更を連続的に戻してもよい。ＵＥは、誤動作が補正されるまで、変更を継続して戻してもよい。
【００１３】
ここで、本開示のより完全な理解のために、添付の図面および発明を実施するための形態と関連して、以下の簡単な説明を参照する（同一参照番号は、同一部品を表す）。
【図面の簡単な説明】
【００１４】
【図１】図１は、本開示のある実施形態を実装するために好適な例示的システムを例証する、概略図である。
【図２】図２は、本開示のある実施形態による、ＤＭへの変更を追跡するための例示的方法のブロック図である。
【図３】図３は、本開示のある実施形態を実装するために好適な別の例示的システムを例証する、概略図である。
【発明を実施するための形態】
【００１５】
図１は、本明細書に開示される１つ以上の実施形態を実装するために好適な例示的システム１００を例証する、概略図である。システム１００は、ＤＭサーバ１０５および１４０と、ユーザ機器（ＵＥ）１１５と、その間の接続を促進するためのネットワーク１１０と、を含む。ＤＭサーバ１０５および１４０と、ネットワーク１１０と、ＵＥ１１５との間の通信は、有線または無線リンクあるいは接続を介してであってもよい。
【００１６】
ＤＭサーバ１０５および１４０は、ネットワークオペレータ、またはサービスプロバイダ、あるいはＤＭサーバとして構成される他のネットワーク構成要素のシステム、サブシステム、もしくは構成要素であってもよい。ＤＭサーバ１０５および１４０は、ネットワーク１１０を介して、要求を転送し、ＵＥ１１５において、ＭＯを生成、修正、または削除してもよい。また、ＤＭサーバ１０５および１４０は、ＵＥ１１５上でＭＯに関連するＤＭデータの格納を促進してもよい。ＤＭデータは、ＵＥ１１５上、ＤＭサーバ１０５および１４０のうちの少なくとも１つ上、ＵＥ１１５およびＤＭサーバ１０５、１４０のうちの少なくとも１つの両方上のＤＭツリー１２０内に格納されてもよい。
【００１７】
ネットワーク１１０は、第３世代パートナーシッププロジェクト（３ＧＰＰ）技術、ＬＴＥ技術、またはいくつかの他の技術を使用してもよい。インターネットプロトコル（ＩＰ）ＩＰＶ４、ＩＰＶ６、ＧＰＲＳトンネリングプロトコル（ＧＴＰ）、および／または他の現在または未来のプロトコルは、これらの技術によって対応されてもよい。加えて、ネットワーク１１０は、インターネットプロトコルベースのネットワーク、パケットベースのネットワーク、公共交換電話ネットワーク、アドホック網式ネットワーク、および／または統合サービスデジタルネットワークのいずれかあるいは組み合わせてによって、サービス提供されてもよい。ネットワーク１１０は、有線、無線、または両であってもよく、任意の周知または後に開発されるネットワーク技術を実装してもよい。
【００１８】
ＵＥ１１５は、本開示の側面を実装するために動作可能であるが、本開示は、これらの実装に限定されるべきではない。ＵＥ１１５は、携帯電話、スマートフォン、無線ハンドセット、ポケットベル、携帯情報端末（ＰＤＡ）、携帯用コンピュータ、タブレットコンピュータ、またはラップトップコンピュータを含む、種々の形態をとってもよい。多くの好適なデバイスは、これらの機能のうちのいくつかまたは全てを組み合わせる。本開示のいくつかの実施形態では、ＵＥ１１５は、携帯用、ラップトップ、またはタブレットコンピュータのような汎用計算デバイスではなく、携帯電話、無線ハンドセット、ポケットベル、またはＰＤＡ等の専用通信デバイスである。別の実施形態では、ＵＥ１１５は、携帯用、ラップトップ、または他の計算デバイスであってもよい。
【００１９】
ＵＥ１１５は、例えば、ＵＥ１１５の製造業者からの一式のＭＯによって事前に構成されてもよい。また、ＵＥ１１５は、ＤＭクライアントを含んでもよい。ＤＭサーバ１０５または１４０（あるいは、両方）は、ネットワーク１１０を介して、ＤＭクライアントにコマンドを発行してもよい。コマンドは、ＵＥ１１５上でＭＯを生成、修正、または削除してもよい。ＤＭクライアントは、ＤＭツリー１２０に変更を実行し、変更ログ１３０に変更の記録を書き込む。
【００２０】
種々の理由から、第２のＤＭサーバ１４０等の他のサーバは、ＵＥ１１５のＤＭツリー１２０を更新する必要があってもよい。例えば、第１のＤＭサーバ１０５は、第１の種類のサービスを処理してもよく、第２のＤＭサーバ１４０は、第２の種類のサービスを処理してもよい。また、２つのＤＭサーバは、同一サービスを提供し、例えば、ピークデータトラフィック期間の間のデータトラフィック平衡を可能にしてもよい。第２のＤＭサーバ１４０は、ＵＥ１１５上のＤＭツリー１２０の状態の同期を要求してもよい。第２のＤＭサーバは、ネットワーク１１０を介して、ＵＥ１１５に状態要求を送信してもよい。ＵＥ１１５上のＤＭクライアントは、変更ログ１３０の要求を受信し、読み出してもよい。ＤＭクライアントは、変更ログ１３０または変更ログ１３０の一部を第２のＤＭサーバ１４０に送信してもよい。第２のＤＭサーバ１４０は、第２のＤＭサーバ１４０上に格納されたＤＭツリー状態をＤＭクライアントから受信した変更ログ１２０または部分的変更ログと同期させてもよい。
【００２１】
別の実施形態では、変更ログ１２０内の変更入力（例えば、入力のサブセットまたは各入力）は、一意的な識別子が割り当てられ、例えば、同期を補助してもよい。一事例では、一意的な識別子は、変更が成された時に関連してもよい。例えば、一意的な識別子は、時間および／または日付スタンプ等であってもよい。別の事例では、一意的な識別子は、１ずつ増分する整数等、本質的に連続的に増分される、１つ以上の英数字であってもよい。例えば、第１の変更は、１５０の一意的な識別子が割り当てられてもよい。各後続変更は、次の連続整数が割り割り当てられてもよい。例えば、第２の変更は、一意的な識別子１５１が割り当てられてもよく、第３の変更は、一意的な識別子１５２が割り当てられてもよい、等である。この場合、ＤＭサーバは、変更の一意的な識別子に基づいて、変更に対する状態問い合わせを伝送してもよい。ＤＭサーバからの要求に応答して、ＤＭクライアントは、変更ログからの要求された入力のみを提供し、それによって、伝送リソースを節約してもよい。また、ＤＭサーバは、一意的な識別子に基づいて、特定の変更の状態に関連する問い合わせを提出してもよい。また、ＤＭサーバは、ある範囲の一意的な識別子に対する状態問い合わせを行ってもよい。
【００２２】
図２は、デバイス管理データ変更を追跡するためのブロック図を例証する。本実施形態では、各ＭＯは、ユニフォームリソースインジケータ（ＵＲＩ）が割り当てられる。ＤＭサーバは、ブロック２１０において、ＤＭクライアントへ要求を送信する。要求タイプが生成、修正、または削除される場合、プロセスは、ライン２１４を介して、継続する。ＤＭクライアントは、ブロック２２０において、ＤＭサーバによって要求された変更をＵＥ上のＤＭツリーに適用する。変更を適用後、ＤＭクライアントは、ブロック２３０において、変更を記述する、変更ログへの入力を追加する。この場合、変更ログ入力の実施例は、以下となり得る。
＜ｄｅｌｔａ＞＜ＭＯ  ＵＲＩ＞＜ｒｅｑｕｅｓｔ  ｔｙｐｅ＞＜￥ｄｅｌｔａ＞
別の場合、複数の修正が、同一ＭＯに対して、ＤＭクライアントによって、ＤＭツリーに行われる場合、ＤＭクライアントは、ＤＭツリーの現在の状態を表す、変更ログへの入力を生成するための論理を適用してもよい。例えば、同一ＭＯ入力が、ＤＭツリー上で数回修正された場合、ＤＭクライアントは、ＭＯの現在の状態のみ捕捉する、変更ログへの入力を生成してもよい。この場合、変更ログ入力の実施例は、以下となり得る。
＜ｄｅｌｔａ＞＜ＭＯ  ＵＲＩ＞＜ｍｏｄｉｆｉｅｄ＞＜ｃｕｒｒｅｎｔ  ｖａｌｕｅ＞＜￥ｄｅｌｔａ＞
別の場合、複数の生成および削除コマンドが、同一ＭＯに対して、ＤＭクライアントによって、ＤＭツリーに行われる場合、ＤＭクライアントは、ＤＭツリーの現在の状態を表す、変更ログへの入力を生成するための論理を適用してもよい。この場合、ＭＯの値が修正されたかどうか、ならびに生成および削除コマンドの開始に先立って、それがＤＭツリー内に存在したかどうかさえ、把握していなくてもよい。ＭＯが、依然として、存在する場合、この場合、変更ログ入力の実施例は、以下となり得る。
＜ｄｅｌｔａ＞＜ＭＯ  ＵＲＩ＞＜ａｄｄ＞＜ｃｕｒｒｅｎｔ  ｖａｌｕｅ＞＜￥ｄｅｌｔａ＞
ＭＯが、もはや存在しない場合、この場合、変更ログ入力の実施例は、以下となり得る。
＜ｄｅｌｔａ＞＜ＭＯ  ＵＲＩ＞＜ｄｅｌｅｔｅ＞＜￥ｄｅｌｔａ＞
別の場合、ＤＭサーバは、ブロック２１０において、ＤＭクライアントに要求を送信する。要求タイプが、状態問い合わせである場合、プロセスは、ライン２１６において、継続する。ＤＭクライアントは、ブロック２４０において、変更ログから要求された状態を読み出す。変更ログを読み出した後、ＤＭクライアントは、ブロック２５０において、要求された状態とともに、ＤＭサーバに応答を送信する。次いで、ＤＭサーバは、ブロック２６０において、受信した状態によって、ＤＭサーバ上に格納されたＤＭツリーを更新してもよい。加えて、ＤＭサーバは、変更ログのコピーをＤＭサーバ上にローカルに格納してもよい。ＭＯが、ＤＭサーバ上に格納されたＤＭツリー内に既に存在する場合、状態の値は、ＤＭサーバ上に格納されたＤＭツリーに書き込まれる。ＭＯが、ＤＭクライアントによって削除された場合、ＤＭサーバは、ＤＭサーバ上に格納されたＤＭツリーから入力を削除する。ＭＯが、ＤＭクライアントによって生成された場合、ＤＭサーバは、ＭＯをＤＭサーバ上に格納されたＤＭツリーに追加する。ＤＭツリー状態は、ＤＭクライアントによって、他のＤＭサーバに伝送されてもよく、またはＤＭサーバは、ＤＭツリー状態を他のＤＭサーバに伝送してもよい。
【００２３】
別の場合、ＤＭサーバは、ＵＥ上の変更ログから入力を収集し、それらを格納してもよい。また、ＤＭサーバは、オリジナルＵＥＤＭツリーのコピーを格納してもよい。ＤＭツリーが、ＵＥから喪失される場合、ＤＭサーバは、オリジナルＵＥＤＭツリーおよび変更ログからの入力を組み合わせ、ＵＥＤＭツリーを復元してもよい。また、変更ログからの格納された入力を使用して、変更ログ内に格納された変更をロールバックすることによって、ＵＥを以前の構成に復元してもよい。また、ＵＥ上のＤＭツリーをロールバックすることは、リバース変更ログ入力を格納することによって、達成されてもよい。例えば、削除コマンドが、ＤＭクライアントによって実行される場合、対応するリバース変更ログ入力が、格納されるであろう。本実施例では、削除コマンドに対応するリバース変更ログ入力は、追加コマンドとなるであろう。ＵＥが、以前のバージョンにロールバックされる必要がある場合、リバース変更ログ内の入力が、ＤＭツリーに適用されるであろう。リバース変更ログ入力を適用することによって、ＵＥ  ＤＭツリーは、以前の状態に戻されるであろう。
【００２４】
図３は、本願に開示される１つ以上の実施形態を実装するのに適切なプロセッサ３１０を含む、別の例示的システム３１５を例証する、概略図である。プロセッサ３１０（中央プロセッサユニットまたはＣＰＵと呼ばれ得る）に加えて、システム３１５は、ネットワーク接続デバイス３２０、ランダムアクセスメモリ（ＲＡＭ）３３０、読取専用メモリ（ＲＯＭ）３４０、二次記憶装置３５０、全地球測位システム（ＧＰＳ）センサ３８０、および入出力（Ｉ／Ｏ）デバイス３６０を含む場合がある。これらの構成要素は、バス３７０を介して、相互に通信する場合がある。ある場合には、これらの構成要素のいくつかは、存在なくてもよく、あるいは相互または図示されない他の構成要素と種々の組み合わせにおいて、組み合わせられてもよい。これらの構成要素は、単一の物理的エンティティまたは２つ以上の物理的エンティティ内に位置する場合がある。プロセッサ３１０によって行われるものとして本明細書で説明される、任意の動作は、プロセッサ３１０によって単独で、またはデジタル信号プロセッサ（ＤＳＰ）３９０等、図面に示されている、あるいは示されていない、１つ以上の構成要素と併せて、プロセッサ３１０によって行われる場合がある。ＤＳＰ３９０は、別個の構成要素として示されるが、ＤＳＰ３９０は、プロセッサ３１０に組み込まれる場合がある。
【００２５】
プロセッサ３１０は、ネットワーク接続性デバイス３２０、ＲＡＭ３３０、ＲＯＭ３４０、または二次記憶装置３５０（ハードディスク、フロッピー（登録商標）ディスク、または光ディスク等、種々のディスクベースのシステムを含む場合がある）からアクセスしてもよい、命令、コード、コンピュータプログラム、あるいはスクリプトを実行する。１つだけのＣＰＵ３１０が示されているが、複数のプロセッサが存在してもよい。したがって、命令は、プロセッサによって実行されるものとして論議され得るが、命令は、同時に、連続的に、または別様に、１つまたは複数のプロセッサによって実行されてもよい。プロセッサ３１０は、１つ以上のＣＰＵチップとして実装されてもよい。
【００２６】
ネットワーク接続デバイス３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の周知のデバイスの形態をとってもよい。これらのネットワーク接続デバイス３２０は、プロセッサ３１０が情報を受信する場合がある、またはプロセッサ３１０が情報を出力する場合がある、インターネットまたは１つ以上の電気通信ネットワーク、あるいは他のネットワークと、プロセッサ３１０が通信することを可能にしてもよい。また、ネットワーク接続デバイス３２０は、データを無線で伝送および／または受信可能な１つ以上の送受信機構成要素３２５を含む場合がある。
【００２７】
ＲＡＭ３３０を使用して、揮発性データ、および可能性として、プロセッサ３１０によって実行される命令を格納する場合がある。ＲＯＭ３４０は、典型的には、二次記憶装置３５０のメモリ容量より小さいメモリ容量を有する、不揮発性メモリデバイスである。ＲＯＭ３４０を使用して、命令、および可能性として、命令の実行の際に読み取られるデータを格納する場合がある。ＲＡＭ３３０およびＲＯＭ３４０へのアクセスは、典型的には、二次記憶装置３５０より高速である。二次記憶装置３３０は、典型的には、１つ以上のディスクドライブまたはテープドライブから成り、ＲＡＭ３３０が全作業データを保持するほど十分に大きくない場合に、データの不揮発性記憶のために、またはオーバーフローデータ記憶デバイスとして使用される場合がある。二次記憶装置３５０は、ＲＡＭ３３０にロードされるプログラムが実行のために選択されると、そのようなプログラムを記憶するために使用されてもよい。
【００２８】
Ｉ／Ｏデバイス３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機３２５は、ネットワーク接続デバイス３２０の構成要素である代わりに、またはそれに加えて、Ｉ／Ｏデバイス３６０の構成要素と見なされる場合がある。
【００２９】
ＧＰＳセンサ３８０は、全地球測位システム信号をデコードし、それによって、システム３１５にその場所を決定させる。また、システム３１５は、送受信機３２５を使用して、その場所を決定してもよい。場所は、ＵＥが、送受信機３２５によって受信された信号を使用して、その位置を三角測量する位置特定方法である、強化観測時間差（ＥＯＴＤ）を利用して決定されてもよい。三角測量の他の一般的方法として、アップリンク到達時間差（Ｕ−ＴＤＯＡ）、到達角（ＡＯＡ）、位置パターンマッチング（ＬＰＭ）、および高度順方向リンク三辺測量（ＡＦＬＴ）が挙げられる。
【００３０】
ある実施形態では、管理オブジェクト（ＭＯ）のオープンモバイルアライアンス（ＯＭＡ）準拠ＤＭツリー内に格納される、デバイス管理（ＤＭ）データの修正に応答して、プロセッサが、ＤＭデータの修正に関連する情報を格納するように構成される、プロセッサを備える、ユーザ機器が提供される。
【００３１】
別の実施形態では、管理オブジェクト（ＭＯ）のオープンモバイルアライアンス（ＯＭＡ）準拠ＤＭツリー内に格納される、デバイス管理（ＤＭ）データの修正に応答して、プロセッサが、ＤＭデータの修正に関連する情報を格納するように構成される、プロセッサを備える、ネットワーク構成要素が提供される。
【００３２】
別の実施形態では、デバイス管理（ＤＭ）データの修正に関連する情報を格納することを含み、ＤＭデータが、管理オブジェクト（ＭＯ）のオープンモバイルアライアンス（ＯＭＡ）準拠ＤＭツリーである、デバイス管理データ変更を追跡するための方法が提供される。
【００３３】
別の実施形態では、変更記録を受信し、変更記録を使用して、ユーザ機器（ＵＥ）上のデバイス管理（ＤＭ）ツリーを更新するように構成される、プロセッサを備え、ＵＥ上のＤＭツリーが、オープンモバイルアライアンス（ＯＭＡ）準拠管理オブジェクト（ＭＯ）から成る、ユーザ機器が提供される。
【００３４】
別の実施形態では、変更記録を受信し、変更記録を使用して、ネットワーク構成要素上のデバイス管理（ＤＭ）ツリーを更新するように構成される、プロセッサを備え、ネットワーク構成要素上のＤＭツリーが、オープンモバイルアライアンス（ＯＭＡ）準拠管理オブジェクト（ＭＯ）から成る、ネットワーク構成要素が提供される。
【００３５】
別の実施形態では、変更記録を受信することと、変更記録を使用して、第１のデバイス上のデバイス管理（ＤＭ）ツリーを更新することと、を含む、第１のデバイス上のＤＭツリーが、オープンモバイルアライアンス（ＯＭＡ）準拠管理オブジェクト（ＭＯ）から成る、データ管理ツリーを同期させるための方法が提供される。
【００３６】
いくつかの実施形態が本開示で提供されているが、開示されたシステムおよび方法が、本開示の精神または範囲から逸脱することなく、多くの他の特定の形態で具現化されてもよいことを理解されたい。本実施例は、制限的ではなく例証的と見なされるものであり、本明細書で与えられる詳細に制限されることを意図するものではない。例えば、種々の要素または構成要素が組み合わされるか、または別のシステムに統合されてもよく、または、ある特徴が省略されるか、あるいは実装されなくてもよい。
【００３７】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合されてもよい。相互に連結される、または直接連結される、あるいは通信するものとして示される、または論議される他の項目は、電気的であろうと、機械的であろうと、または別の方法であろうと、何らかのインターフェース、デバイス、または中間構成要素を通して、間接的に連結されるか、または通信してもよい。変更、置換、および改変の他の実施例が、当業者によって究明可能であり、本明細書で開示される精神および範囲から逸脱することなく行うことができる。
【図１】
2012516584.tif 000003
【図２】
2012516584.tif 000004
【図３】
2012516584.tif 000005
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
デバイス管理（ＤＭ）サーバ（２１０）から、ユーザ機器（ＵＥ）（１１５）上のＤＭクライアント（２２０）における通信（２１４）を受信することであって、該通信（２１４）は、該ＵＥ（１１５）上のＤＭツリー（１２０）に変更するように命令する、ことと、
該通信（２１４）に基づいて、該ＤＭツリー（１２０）を修正することと、
該ＤＭツリー（１２０）に対してなされた該変更を示すデルタ記録（１３０、２３０）を生成することと、
該デルタ記録（１３０、２３０）を該ＤＭサーバ（２１０）に送信することと
を含む、方法。
【請求項２】
前記デルタ記録が前記ＵＥに格納されることをさらに含む、請求項１に記載の方法。
【請求項３】
識別子を前記デルタ記録に関連付けることを含み、該識別子は、シーケンス番号およびタイムスタンプのうちの少なくとも１つである、請求項１または２に記載の方法。
【請求項４】
前記ＤＭツリーの状態に関する要求を前記ＤＭサーバ（２１０）から受信することをさらに含み、前記送信することが、該要求に応答して行われる、請求項１〜３のいずれか１項に記載の方法。
【請求項５】
前記変更は、管理オブジェクト（ＭＯ）を前記ＤＭツリーに追加することと、ＭＯを該ＤＭツリーから削除することと、該ＤＭツリーのＭＯの値を更新することとのうちの１つを含む、請求項１〜４のいずれか１項に記載の方法。
【請求項６】
前記ＤＭクライアント、ＤＭサーバ、およびＤＭツリーは、オープンモバイルアライアンス（ＯＭＡ）  ＤＭ仕様に準拠する、請求項１〜５のいずれかに記載の方法。
【請求項７】
請求項１〜６のいずれか１項に記載の方法を行うように構成されるデバイス管理（ＤＭ）クライアントを備える、ユーザ機器。
【請求項８】
デバイス管理（ＤＭ）サーバ（１０５）において、ユーザ機器（ＵＥ）（１１５）上のＤＭツリー（１２０）に変更を命令する通信（２１４）を生成することと、
該ＵＥ上の該ＤＭツリー（１２０）を管理するＤＭクライアント（２２０）に該通信を送信することと、
該ＤＭツリー（１２０）に対してなされた該変更を示すデルタ記録（１３０、２３０）を該ＤＭクライアント（２２０）から受信することと
を含む、方法。
【請求項９】
前記デルタ記録が識別子を含み、該識別子は、該デルタ記録を読み取るために前期ＤＭサーバによって使用可能である、請求項８に記載の方法。
【請求項１０】
前記識別子は、シーケンス番号およびタイムスタンプのうちの少なくとも１つを含む、請求項９に記載の方法。
【請求項１１】
前記ＤＭツリーの状態を読み出すために前記ＤＭクライアントに要求を送信することをさらに含み、前記受信することが、該要求に対して起こる、請求項８〜１０のいずれか１項に記載の方法。
【請求項１２】
前記デルタ記録に基づいて、第２のＤＭツリーを更新すること（２６０）をさらに含む、請求項８〜１１のいずれか１項に記載の方法。
【請求項１３】
前記変更は、管理オブジェクト（ＭＯ）を前記ＤＭツリーに追加することと、ＭＯを該ＤＭツリーから削除することと、該ＤＭツリーのＭＯの値を更新することとのうちの１つを含む、請求項８〜１２のいずれか１項に記載の方法。
【請求項１４】
前記ＤＭクライアント、ＤＭサーバ、およびＤＭツリーは、オープンモバイルアライアンス（ＯＭＡ）  ＤＭ仕様に準拠する、請求項８〜１３のいずれかに記載の方法。
【請求項１５】
請求項８〜１４のいずれか１項に記載の方法を行うように適合されるデバイス管理（ＤＭ）サーバを備える、ネットワーク構成要素。
【請求項１６】
命令が格納された有形コンピュータ読み取り可能媒体であって、該命令は、コンピューティングデバイスによって実行された場合に、該コンピューティングデバイスに、請求項１〜６および請求項８〜１４のいずれか１項に記載の方法を行わせる、有形コンピュータ読み取り可能媒体。
【手続補正２】
【補正対象書類名】明細書
【補正対象項目名】００１３
【補正方法】変更
【補正の内容】
【００１３】
ここで、本開示のより完全な理解のために、添付の図面および発明を実施するための形態と関連して、以下の簡単な説明を参照する（同一参照番号は、同一部品を表す）。
例えば、本発明は以下の項目を提供する。
（項目１）
プロセッサを備えるユーザ機器であって、管理オブジェクト（ＭＯ）のオープンモバイルアライアンス（ＯＭＡ）準拠ＤＭツリー内に格納されるデバイス管理（ＤＭ）データの修正に応答して、該プロセッサが、該ＤＭデータの修正に関連する情報を格納するように構成される、ユーザ機器。
（項目２）
上記ＤＭデータは、上記ユーザ機器をプロビジョニング、構成、アップグレード、および管理することが可能である、項目１に記載のユーザ機器。
（項目３）
上記ＤＭデータの修正に関連する情報は、該ＤＭデータへの変更に関する詳細を規定する変更記録である、項目１に記載のユーザ機器。
（項目４）
上記プロセッサは、上記情報を他のデバイスに配信するようにさらに構成される、項目１に記載のユーザ機器。
（項目５）
上記変更記録は、一意的な識別子を含む、項目３に記載のユーザ機器。
（項目６）
上記一意的な識別子は、日付、時間、英数字、および１ずつ増分する整数のうちの１つ以上である、項目５に記載のユーザ機器。
（項目７）
プロセッサを備えるネットワーク構成要素であって、管理オブジェクト（ＭＯ）のオープンモバイルアライアンス（ＯＭＡ）準拠ＤＭツリー内に格納されるデバイス管理（ＤＭ）データの修正に応答して、該プロセッサが、該ＤＭデータの修正に関連する情報を格納するように構成される、ネットワーク構成要素。
（項目８）
上記ＯＭＡ  ＤＭデータの修正に関連する情報は、上記ＤＭデータへの変更に関する詳細を規定する変更記録である、項目７に記載のネットワーク構成要素。
（項目９）
上記プロセッサは、上記情報を他のデバイスに配信するようにさらに構成される、項目７に記載のネットワーク構成要素。
（項目１０）
上記変更記録は、一意的な識別子を含む、項目８に記載のネットワーク構成要素。
（項目１１）
上記一意的な識別子は、日付、時間、英数字、および１ずつ増分する整数のうちの１つ以上である、項目１０に記載のネットワーク構成要素。
（項目１２）
デバイス管理データ変更を追跡する方法であって、該方法は、
デバイス管理（ＤＭ）データの修正に関連する情報を格納することを含み、該ＤＭデータは、管理オブジェクト（ＭＯ）のオープンモバイルアライアンス（ＯＭＡ）準拠ＤＭツリーである、方法。
（項目１３）
上記ＤＭデータは、上記ユーザ機器をプロビジョニング、構成、アップグレード、および管理することが可能である、項目１２に記載の方法。
（項目１４）
上記ＯＭＡ  ＤＭデータに関連する情報は、上記ＤＭデータへの変更に関する詳細を規定する変更記録である、項目１２に記載の方法。
（項目１５）
上記情報を他のデバイスに配信することをさらに含む、項目１２に記載の方法。
（項目１６）
上記情報を複数のデバイス間で同期させることをさらに含む、項目１２に記載の方法。
（項目１７）
他のデバイスに配信される上記情報を利用して、上記ＤＭツリーを回復することをさらに含む、項目１５に記載の方法。
（項目１８）
コンピュータ読み取り可能媒体が命令を格納し、該命令は、プロセッサによって実行されると上記方法の実行を促進する、項目１２に記載の方法。
（項目１９）
プロセッサを備えるユーザ機器（ＵＥ）であって、該プロセッサは、変更記録を受信し、該変更記録を使用して、該ユーザ機器上のデバイス管理（ＤＭ）ツリーを更新するように構成され、該ＵＥ上のＤＭツリーは、オープンモバイルアライアンス（ＯＭＡ）準拠管理オブジェクト（ＭＯ）から構成される、ユーザ機器。
（項目２０）
上記変更記録は、ネットワーク構成要素から受信され、該ネットワーク構成要素は、上記ＵＥに関連するオープンモバイルアライアンス（ＯＭＡ）準拠管理オブジェクト（ＭＯ）のＤＭツリーを維持し、該ＵＥのプロセッサは、該変更記録を使用して、該ＵＥ上のＤＭツリーを更新し、該ＵＥ上のＤＭツリーおよび上記ネットワークによって維持されるＤＭツリーの同期を促進する、項目１９に記載のユーザ機器。
（項目２１）
上記変更記録は、上記ネットワーク機器によって維持されるＤＭツリーに対してなされた変更を追跡するように生成される、項目２０に記載のユーザ機器。
（項目２２）
プロセッサを備えるネットワーク構成要素であって、該プロセッサは、
変更記録を受信し、該変更記録を使用して、該ネットワーク構成要素上のデバイス管理（ＤＭ）ツリーを更新するように構成され、該ネットワーク構成要素上のＤＭツリーは、オープンモバイルアライアンス（ＯＭＡ）準拠管理オブジェクト（ＭＯ）から構成される、ネットワーク構成要素。
（項目２３）
上記変更記録は、ユーザ機器（ＵＥ）から受信され、該ＵＥは、オープンモバイルアライアンス（ＯＭＡ）準拠管理オブジェクト（ＭＯ）のＤＭツリーを維持し、上記ネットワーク構成要素のプロセッサは、該変更記録を使用して、該ネットワーク構成要素上のＤＭツリーを更新し、該ネットワーク構成要素上のＤＭツリーおよび該ＵＥによって維持されるＤＭツリーの同期を促進する、項目２２に記載のネットワーク構成要素。
（項目２４）
上記変更記録は、上記ＵＥによって維持されるＤＭツリーに対してなされた変更を追跡するように生成される、項目２３に記載のネットワーク構成要素。
（項目２５）
データ管理ツリーを同期させるための方法であって、該方法は、変更記録を受信し、該変更記録を使用して、第１のデバイス上のデバイス管理（ＤＭ）ツリーを更新することを含み、該第１のデバイス上のＤＭツリーは、オープンモバイルアライアンス（ＯＭＡ）準拠管理オブジェクト（ＭＯ）から構成される、方法。
（項目２６）
上記変更記録は、第２のデバイスから受信され、該第２のデバイスは、オープンモバイルアライアンス（ＯＭＡ）準拠管理オブジェクト（ＭＯ）のＤＭツリーを維持し、上記第１のデバイスのプロセッサは、該変更記録を使用して、該第１のデバイス上のＤＭツリーを更新し、該第１のデバイス上のＤＭツリーおよび該第２のデバイスによって維持されるＤＭツリーの同期を促進する、項目２５に記載の方法。
（項目２７）
上記変更記録は、上記第２のデバイスによって維持されるＤＭツリーに対してなされた変更を追跡するように生成される、項目２６に記載の方法。
（項目２８）
コンピュータ読み取り可能媒体が命令を格納し、該命令は、プロセッサによって実行されると、上記方法の実行を促進する、項目２５に記載の方法。
【手続補正３】
【補正対象書類名】明細書
【補正対象項目名】００３７
【補正方法】変更
【補正の内容】
【００３７】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合されてもよい。相互に連結される、または直接連結される、あるいは通信するものとして示される、または論議される他の項目は、電気的であろうと、機械的であろうと、または別の方法であろうと、何らかのインターフェース、デバイス、または中間構成要素を通して、間接的に連結されるか、または通信してもよい。変更、置換、および改変の他の実施例が、当業者によって究明可能であり、本開示の精神から逸脱することなく行うことができる。
【国際調査報告】
2012516584.tif 000006
2012516584.tif 000007